(57)【要約】【課題】スケール板のばらつきを吸収し、最小限のマージンで原稿外自動消去を可能にすることができる画像形成装置を提供する。【解決手段】原稿を読み取る際の読み取り領域周囲のいずれかの位置にスケール板を備えた画像読み取り手段と、前記画像読み取り手段での読み取りにより得られた画像データに対して画像処理を施す画像処理手段と、前記画像処理手段で画像データに画像処理を行う範囲である画像処理領域の変更を制御する制御手段と、を備えた画像形成装置であって、前記制御手段は、前記画像読み取り手段に原稿が載置されていない状態でスケール板を含めた状態の読み取り可能な最大領域を調査スキャンとして読み取らせ、該調査スキャンの読み取り結果中のスケール板を含まない最大範囲の矩形領域を前記画像処理領域として決定する、ことを特徴とする。【選択図】　　　図１
2004088605.tif 000002
【特許請求の範囲】
【請求項１】
原稿を読み取る際の読み取り領域周囲のいずれかの位置にスケール板を備えた画像読み取り手段と、
前記画像読み取り手段での読み取りにより得られた画像データに対して画像処理を施す画像処理手段と、
前記画像処理手段で画像データに画像処理を行う範囲である画像処理領域の変更を制御する制御手段と、
を備えた画像形成装置であって、
前記制御手段は、前記画像読み取り手段に原稿が載置されていない状態でスケール板を含めた状態の読み取り可能な最大領域を調査スキャンとして読み取らせ、該調査スキャンの読み取り結果中のスケール板を含まない最大範囲の矩形領域を前記画像処理領域として決定する、
ことを特徴とする画像形成装置。
【請求項２】
前記制御手段は、画像処理領域に関する片寄り調整の設定にかかわらず、調査スキャンによって得られた読み取り結果に応じて前記画像処理領域の決定を行い、調査スキャンにより決定された前記画像処理領域に対して片寄り調整の設定を行う、
ことを特徴とする請求項１記載の画像形成装置。
【請求項３】
前記制御手段は、画像処理領域に関する先端タイミング調整値の設定にかかわらず、調査スキャンによって得られた読み取り結果に応じて前記画像処理領域の決定を行い、調査スキャンにより決定された前記画像処理領域に対して先端タイミング調整の設定を行う、
ことを特徴とする請求項１記載の画像形成装置。
【請求項４】
前記制御手段は、画像処理領域に関する片寄り調整もしくは先端タイミング調整の設定にかかわらず、調査スキャンによって得られた読み取り結果に応じて前記画像処理領域の決定を行い、調査スキャンにより決定された前記画像処理領域に対して片寄り調整の設定もしくは先端タイミング調整の設定を行う、
ことを特徴とする請求項１記載の画像形成装置。
【請求項５】
前記画像読み取り手段の読み取り領域を覆うプラテンカバーを備えた画像形成装置であって、
前記制御手段は、前記プラテンカバーが閉じてられた状態で調査スキャンがなされた場合には、該調査スキャンとして読み取った画像の信号値を反転した状態にして前記画像処理領域の決定のための処理を実行する、
ことを特徴とする請求項１乃至請求項４のいずれかに記載の画像形成装置。
【発明の詳細な説明】
【０００１】
【発明の属する技術分野】
本発明は、原稿を読み取る際の読み取り領域周囲のいずれかの位置にスケール板を備えた画像読み取り手段（スキャナ）を備えた画像形成装置の改良に関する。
【０００２】
【従来の技術】
図５は一般的なの画像形成装置の外観構成を示す斜視図である。この図５において、１２は原稿読み取り領域として原稿を載置すべきプラテンガラスである。このプラテンガラス１２の下部には後述する光学系（光源、ミラー、レンズ、ＣＣＤなど）が配置されていて、プラテンガラス１２の上部に載置された原稿の画像が読み取られるように構成されている。
【０００３】
１３はスケール板であって、プラテンガラス１２の周囲端部に設けられており、原稿を突き当てることで原稿位置を規制するための手段である。なお、１１は通常のスキャンの際にプラテンガラス１２全体を覆うためのプラテンカバーである。
【０００４】
１４は画像形成装置の操作と表示とを行う操作表示部であり、電源スイッチやコピー開始スイッチやテンキーの他、タッチパネル兼用の液晶表示部なども設けられている。１５は後述する画像読み取り部で読み取られた画像について、画像形成部（プリントエンジン）で画像形成がなされた記録紙が出力される排紙部である。
【０００５】
図６は一般的な画像形成装置の断面構成を示す構成図である。ここで、光源１１４ａにより原稿の画像面が照射され、その反射光がミラー１１４ｂ，１１４ｃ，１１４ｄを介して結像光学系（レンズ）１１４ｅを介して光電変換手段であるＣＣＤ１１１の受光面に像を結ぶ。
【０００６】
ここで、光源１１４ａ、ミラー１１４ｂ，１１４ｃ，１１４ｄ、結像光学系１１４ｅ及びＣＣＤ１１１を有する光学系、並びに、図示されていない光学系駆動部とで画像読み取り部１１０を構成している。
【０００７】
この図６において、原稿がプラテンガラス１２上に読み取り面を下に向けた状態に載置された場合に、光学系はプラテンガラス１２に沿って移動しつつ走査して読み取り（スキャン）を行う。
【０００８】
このようにして画像読み取り部２０でのスキャンにより読み取られた画像データは、画像処理部で所定の画像処理が行なわれた後、プリントエンジン１４０に供給されて画像形成が実行される。
【０００９】
一方、記録紙が積載されている給紙カセットから、給紙ローラにより記録紙が繰り出され給送される。給送される記録紙は、像担持体となる感光体ドラム１４１に近接する。
【００１０】
画像処理部から露光部１４０ａに画像データが入力され、露光部１４０ａ内のレーザダイオードから画像データに応じたレーザ光を感光体ドラム１４１上に照射し、静電潜像を形成する。この静電潜像を現像部１４３で現像することで、感光体ドラム１４１上にトナー像を形成する。
【００１１】
このトナー像は感光体ドラム１４１の下部の転写部１４４により記録紙ｐに転写される。そして、感光体ドラム１４１に当接されている記録紙ｐは分離部１４５により分離される。感光体ドラム１４１から分離された記録紙ｐは搬送機構を介して定着部１４７に入り、トナー像が熱と圧力とにより定着される。このようにして、記録紙ｐに画像が形成される。このようにして、裏面と表面との画像形成が完了した記録紙ｐは排紙部１５から機外に排出される。
【００１２】
ところで、原稿外自動消去と呼ばれる機能を備えた画像形成装置が存在している。この原稿外自動消去とは、プラテンカバーを開けた状態でプラテンガラス１２上の原稿を読み取り、原稿の外側の領域の信号値が原稿白地の部分より低くなることを利用して、原稿の領域と原稿外の領域とを画像処理により識別して求め、原稿外の領域は自動的に消去することで原稿の領域のみ画像形成する機能である。
【００１３】
なお、この場合、本スキャンの前にプレスキャンを行い、このプレスキャンで原稿内外の領域識別を行って原稿サイズを求めておき、その後の本スキャンで原稿の画像を読み込むようにしている。
【００１４】
【発明が解決しようとする課題】
ところで、画像読み取り部１１０において原稿を読み取る際にスケール板１３を原稿と一緒に読み込んでしまうと、原稿外自動消去において原稿サイズを誤って認識してしまうことがある。すなわち、スケール板１３を読み込むことで、実際の原稿より大きな原稿が存在すると誤認識する可能性がある。なお、装置の製造時の誤差などによって、スケール板１３の取り付け位置や取り付け角度に若干の違いが生じていることが原因の一つになっている。
【００１５】
そのような誤認識の不具合を解消するため、通常の画像形成装置では、原稿の端部より２ｍｍ程度内側を読み込むようにしている。これにより、スケール板１３に接する部分で原稿の周囲２ｍｍの領域が読みとれないという新たな問題が生じることになる。なお、原稿内の画像をできるだけ読み取るために、この２ｍｍの余裕を０．５ｍｍなどに変更すると、スケール板１３の取り付け精度の問題により、上述した原稿の誤認識が生じやすくなる。
【００１６】
本発明は以上のような問題に鑑みてなされたものであって、スケール板の取り付け精度にかかわらず、最小限のマージンで原稿外自動消去の際に原稿領域を正しく認識することが可能な画像形成装置を提供することを目的としている。
【００１７】
【課題を解決するための手段】
以上の課題を解決する本発明は以下に説明する（１）〜（５）のように構成されている。
【００１８】
（１）請求項１記載の発明は、原稿を読み取る際の読み取り領域周囲のいずれかの位置にスケール板を備えた画像読み取り手段と、前記画像読み取り手段での読み取りにより得られた画像データに対して画像処理を施す画像処理手段と、前記画像処理手段で画像データに画像処理を行う範囲である画像処理領域の変更を制御する制御手段と、を備えた画像形成装置であって、前記制御手段は、前記画像読み取り手段に原稿が載置されていない状態でスケール板を含めた状態の読み取り可能な最大領域を調査スキャンとして読み取らせ、該調査スキャンの読み取り結果中のスケール板を含まない最大範囲の矩形領域を前記画像処理領域として決定する、ことを特徴とする画像形成装置である。
【００１９】
この発明では、原稿を読み取る際の読み取り領域周囲のいずれかの位置にスケール板を備えた場合に、原稿が載置されていない状態でスケール板を含めた状態の読み取り可能な最大領域を調査スキャンで読み取り、該調査スキャンの読み取り結果中のスケール板を含まない最大範囲の矩形領域を画像処理領域として決定する。
【００２０】
ここで、「画像処理領域」とは、画像読み取り手段によって生成された画像データのうちで、少なくともスケール板の領域が除かれた状態であって、原稿の画像の領域として処理すべきと決定した領域のことである。
【００２１】
これにより、調査スキャンによってスケール板と区別した状態で原稿領域を定めることができるため、スケール板の取り付け精度にかかわらず、最小限のマージンで原稿外自動消去の際に原稿領域を正しく認識することが可能な画像形成装置を提供できる。なお、この調査スキャンは、画像形成装置の出荷時、設置時、あるいは一定時間毎などに実行すればよい。
【００２２】
（２）請求項２記載の発明は、前記制御手段は、画像処理領域に関する片寄り調整の設定にかかわらず、調査スキャンによって得られた読み取り結果に応じて前記画像処理領域の決定を行い、調査スキャンにより決定された前記画像処理領域に対して片寄り調整の設定を行う、ことを特徴とする請求項１記載の画像形成装置である。
【００２３】
ここで、片寄り調整とは、プラテンガラス上に載置された原稿をスキャンする際の副走査方向（スキャン進行方向）を中心軸とした場合に、その中心軸を軸と直角方向にずらす調整を意味している。
【００２４】
この発明では、画像処理領域に関する片寄り調整の設定がなされていたとしても、その片寄り調整の設定を解除した状態で、調査スキャンを実行する。そして調査スキャンによって得られた読み取り結果に応じて前記画像処理領域の決定を行う。そして、調査スキャンにより決定された前記画像処理領域に対して、片寄り調整の設定を行う。
【００２５】
これにより、片寄り方向に対しても正確なスキャン領域を設定することができ、また、実際のスキャンにおいては片寄り調整に応じてスキャン領域を設定することができる。
【００２６】
（３）請求項３記載の発明は、前記制御手段は、画像処理領域に関する先端タイミング調整値の設定にかかわらず、調査スキャンによって得られた読み取り結果に応じて前記画像処理領域の決定を行い、調査スキャンにより決定された前記画像処理領域に対して先端タイミング調整の設定を行う、ことを特徴とする請求項１記載の画像形成装置である。
【００２７】
ここで、先端タイミング調整とは、プラテンガラス上に載置された原稿をスキャンする際の副走査方向（スキャン進行方向）の開始タイミングをずらす調整を意味している。
【００２８】
この発明では、画像処理領域に関する先端タイミング調整の設定がなされていたとしても、その先端タイミング調整の設定を解除した状態で、調査スキャンを実行する。そして調査スキャンによって得られた読み取り結果に応じて前記画像処理領域の決定を行う。そして、調査スキャンにより決定された前記画像処理領域に対して、先端タイミング調整の設定を行う。
【００２９】
これにより、先端タイミング調整の方向に対しても正確なスキャン領域を設定することができ、また、実際のスキャンにおいては先端タイミング調整に応じてスキャン領域を設定することができる。
【００３０】
（４）請求項４記載の発明は、前記制御手段は、画像処理領域に関する片寄り調整もしくは先端タイミング調整の設定にかかわらず、調査スキャンによって得られた読み取り結果に応じて前記画像処理領域の決定を行い、調査スキャンにより決定された前記画像処理領域に対して片寄り調整の設定もしくは先端タイミング調整の設定を行う、ことを特徴とする請求項１記載の画像形成装置である。
【００３１】
この発明では、画像処理領域に関する片寄り調整もしくは先端タイミング調整の設定がなされていたとしても、それら片寄り調整と先端タイミング調整の設定を解除した状態で、調査スキャンを実行する。そして調査スキャンによって得られた読み取り結果に応じて前記画像処理領域の決定を行う。そして、調査スキャンにより決定された前記画像処理領域に対して、片寄り調整もしくは先端タイミング調整の設定を行う。
【００３２】
これにより、片寄り調整と先端タイミング調整の方向とに対しても正確なスキャン領域を設定することができ、また、実際のスキャンにおいては片寄り調整値と先端タイミング調整とに応じてスキャン領域を設定することができる。
【００３３】
（５）請求項５記載の発明は、前記画像読み取り手段の読み取り領域を覆うプラテンカバーを備えた画像形成装置であって、前記制御手段は、前記プラテンカバーが閉じてられた状態で調査スキャンがなされた場合には、該調査スキャンとして読み取った画像の信号値を反転した状態にして前記画像処理領域の決定のための処理を実行する、ことを特徴とする請求項１乃至請求項４のいずれかに記載の画像形成装置である。
【００３４】
この発明では、プラテンカバーが閉じてられた状態で調査スキャンがなされた場合には、調査スキャンとして読み取った画像の信号値を反転した状態にして、スケール板の位置を検出し、該調査スキャンの読み取り結果中のスケール板を含まない最大範囲の矩形領域を前記画像処理領域として決定する。
【００３５】
これにより、プラテンカバーが閉じられていない状態だけでなく、プラテンカバーが閉じられている状態であっても、調査スキャンによってスケール板と区別した状態で原稿領域を定めることができるため、スケール板の取り付け精度にかかわらず、最小限のマージンで原稿外自動消去の際に原稿領域を正しく認識することが可能な画像形成装置を提供できる。
【００３６】
【発明の実施の形態】
以下に、図面を参照して本発明の実施の形態例を詳細に説明する。
図１は本実施の形態例の画像形成装置の電気的構成部分を示す構成図である。なお、本実施の形態例の画像形成装置の外観構成は、図５に示したものと同一である。また、本実施の形態例の画像形成装置の機械的構成は、図６に示したものと同一である。
【００３７】
この図１において、１０１は画像形成装置各部を制御する制御手段としての制御部であり、ＣＰＵなどと制御プログラムなどによって構成されており、本実施の形態例においては、画像読み取り手段に原稿が載置されていない状態でスケール板を含めた状態の読み取り可能な最大領域を調査スキャンとして読み取らせ、該調査スキャンの読み取り結果中のスケール板を含まない最大範囲の矩形領域を前記画像処理領域として決定する制御を行う。
【００３８】
なお、画像形成装置に複数の制御部や制御手段などが存在する場合には、少なくとも読み取りに関する制御を行う制御部が本実施の形態例の制御部１０１に該当する。
【００３９】
また、ここで、「画像処理領域」とは、画像読み取り手段によって生成された画像データのうちで、少なくともスケール板の領域が除かれた状態であって、原稿の画像の領域として処理すべきと、制御部１０１が決定した領域のことである。
【００４０】
１１０は原稿の画像を光学的に読み取る画像読み取り部であり、ＣＣＤ１１１、ＣＣＤ駆動部１１２、光学系駆動部１１３、Ａ−Ｄ変換器１１４を含んで構成されている。
【００４１】
ＣＣＤ１１１は複数素子の受光部を備えたラインセンサであり、Ａ３サイズ程度の読み取りを行う場合には図６の紙面垂直方向に８０００素子程度の受光部を備えて構成されている。なお、ＣＣＤ１１１の受光素子配列方向を、読み取りに際しての主走査方向とする。
【００４２】
１１２はＣＣＤ駆動部であり、ＣＣＤ１１１を駆動するための駆動パルス等を生成してＣＣＤ１１１に供給している。１１３は読み取りに際して移動する光学系を駆動する光学系駆動部であり、光源１１４ａ，ミラー１１４ｂ，１１４ｃ，１１４ｄおよび結像光学系１１４ｅを読み取りに合わせて所定の速度で駆動する。なお、光学系駆動部による光学系の移動方向を、読み取りに際しての副走査方向とする。
【００４３】
１１４はＣＣＤ１１１から出力される画像信号をディジタル信号に変換するＡ−Ｄ変換器であり、このＡ−Ｄ変換器１１４から出力されたディジタル信号は後述するページメモリ１３１に供給される。
【００４４】
なお、以上の画像読み取り部１１０では、図６に示したようにプラテンガラス１２の下部から原稿の画像面を読み取る構成であるが、図５に示したスケール板をも含めて読み取ることが可能なように構成されているものとする。
【００４５】
１３０は読み取りにより得られた画像データに対して各種画像処理を実行する画像処理部であり、ページメモリ１３１とメモリコントローラ１３２とを備えて構成されており、画像読み取り部１１０からのディジタル信号を画像形成用の画像データとして格納する画像処理を実行する。
【００４６】
ページメモリ１３１は画像形成用の画像データを格納するための記憶手段であり、調査スキャンの際に読み取り結果に含まれるスケール板の画像データも含めた状態で記憶することが可能な容量を有しているものとする。
【００４７】
メモリコントローラ１３２は調査スキャンの読み取り結果に含まれるスケール板を識別し、該スケール板を含まない最大範囲の矩形領域を通常のスキャンの画像処理としてページメモリ１３１に記憶させる制御を行う。
【００４８】
１４０は画像形成を行うプリントエンジンであり、インクジェット方式や電子写真方式など各種方式で画像形成を行うことが可能である。なお、図６では電子写真方式のプリントエンジン１４０を例示している。
【００４９】
以下、本実施の形態例の画像形成装置の動作説明を図２のフローチャートを参照して行う。なお、本実施の形態例の画像形成装置では、通常のスキャン（本スキャンに先立ち原稿サイズなどを読み取るためのプレスキャン、原稿の画像を読み取るための本スキャン）以外に、画像形成装置の出荷時，設置時，不具合発生時，一定時間毎などに実行する「調査スキャン」を新たに採用したことを特徴としている。
【００５０】
この「調査スキャン」では、画像読み取り部１１０のプラテンガラス１２に原稿が載置されていない状態で、スケール板を含めた状態の読み取り可能な最大領域を調査スキャンとして読み取らせ、該調査スキャンの読み取り結果中のスケール板を含まない最大範囲の矩形領域を前記画像処理領域として決定する、動作を行う。また、この「調査スキャン」は、通常動作時には必要ないため、操作表示部１２０から特別なキー入力などがなされた場合に制御部１０１が実行するように構成しておけばよい。
【００５１】
〔１〕調査スキャン：
画像形成装置の工場出荷時，使用場所設置時，読み取りに関する不具合発生時，一定使用時間経過後，定期点検時などに、操作表示部１２０から特別なキー入力などがなされた場合（図２Ｓ１）に、制御部１０１は以下に説明する調査スキャンを実行する。
【００５２】
この調査スキャンでは、画像読み取り部１１０のプラテンガラス１２上に原稿が載置されていない状態で、制御部１０１の指示に基づいてスケール板１３を含めた状態の読み取り可能な最大領域を読み取る（図２Ｓ２）。
【００５３】
そして、読み取って得た画像データについて、スケール板１３の領域とプラテンガラス１２の領域とを区別すべく、メモリコントローラ１３２が画像データ（輝度データ）を二値化する（図２Ｓ３）。たとえば、各画素８ビット（０〜２５５）の輝度データを、予め定めておいた所定のしきい値を用いて、スケール板１３の領域では“１”、プラテンガラス１２の領域では“０”となるように二値化を実行する。
【００５４】
なお、この場合には、プラテンカバー１１は開放状態であると、スケール板１３が存在する部分ではスケール板１３の色あるいは濃度に応じた明るさの画像データが得られ、一方、プラテンガラス１２の部分では反射光が存在せずに黒レベルに近い画像データが得られ、スケール板１３の存在が明確になって好ましい。
【００５５】
また、プラテンカバー１１が閉じられている場合には、プラテンカバー１１が白色であることとスケール板１３が白色以外の濃度の色であることを利用して、画像データを反転してから二値化するか、あるいは、二値化したデータを反転すれば、プラテンカバー１１が開放されている場合と同じ二値化データが得られる。
【００５６】
そして、以上のようにして得た二値化データを、制御部１０１はメモリコントローラ１３２を介してページメモリ１３１に格納する（図２Ｓ４）。
図３はページメモリ１３１に格納された“０”，“１”の二値化データの一例を示している。なお、実際には更に多くのデータが存在しているが、ここでは説明のためにデータ数を減らした状態で示している。
【００５７】
この図３において、二値化データ“１”の部分はスケール板１３での反射光を検出した領域の画素であり、二値化データ“０”の部分はプラテンガラス１２のために反射光を検出できなかった領域の画素である。
【００５８】
また、この図３は、スケール板１３の主走査方向・副走査方向が若干狂った状態で取り付けられた例を示しており、図中の斜めの破線がほぼスケール板１３の端部位置を表している。
【００５９】
なお、この図３では、Ａ３サイズ（２９７ｍｍ×４１０ｍｍ）の原稿と、１１×１７と呼ばれるサイズ（２７９．４ｍｍ×４３１．８ｍｍ）の原稿とを読み込むことが可能に構成された場合を例示しており、主走査方向としてはＡ３サイズの幅である２９７ｍｍを読み込み可能に、副走査方向としては１１×１７サイズの長さである４３１．８ｍｍを読み込み可能に構成されている。
【００６０】
この状態において、制御部１０１は、スケール板を含まない最大範囲の矩形領域を画像処理として決定する（図２Ｓ５）。図３に示す例では、２点鎖線で囲まれた部分が、スケール板を含まない最大範囲の矩形領域である。
【００６１】
そして、制御部１０１は、このようにして決定した矩形領域についての開始アドレス（Ｓｔａｒｔ（ｘ１，ｙ１））と終了アドレス（Ｅｎｄ（ｘ２，ｙ２））とを保存しておく（図２Ｓ６）。なお、この際、図示されないレジスタあるいは不揮発性メモリなどに保存しておけばよい。
【００６２】
また、読みとれる最大の原稿サイズに対応する開始アドレス（Ｓｔａｒｔ（ｘ１，ｙ１））と終了アドレス（Ｅｎｄ（ｘ２，ｙ２））だけでなく、図４に示すように、原稿サイズに応じた開始アドレス（Ｓｔａｒｔ（ｘ３，ｙ３））と終了アドレス（Ｅｎｄ（ｘ４，ｙ４））とを求めておくことも望ましい。この場合、小さい原稿サイズの場合に、スケール板１３の傾き加減によって、開始アドレスが異なった値になる。
【００６３】
なお、以上の調査スキャンを実行するに際して、片寄り調整もしくは先端タイミング調整の設定がなされていたとしても、それら片寄り調整と先端タイミング調整の設定を解除した状態で、調査スキャンを実行する。
【００６４】
ここで、片寄り調整とは、プラテンガラス上に載置された原稿をスキャンする際の副走査方向（スキャン進行方向）を中心軸とした場合に、その中心軸を軸と直角方向にずらす調整を意味している。また、先端タイミング調整とは、プラテンガラス上に載置された原稿をスキャンする際の副走査方向（スキャン進行方向）の開始タイミングをずらす調整を意味している。
【００６５】
以上の調査スキャンの動作が終了した場合、あるいは、電源投入後に特定のキー入力が無かった場合には、制御部１０１は通常スキャンモードとして動作を行う。
【００６６】
〔２〕通常スキャン：
通常スキャンモードにおいて原稿外自動消去を行う場合に、以上の調査スキャンによってスケール板１３と区別して決定した上記矩形領域（画像処理領域）を利用する。
【００６７】
ここで、原稿外自動消去とは、プラテンカバーを開けた状態でプラテンガラス１２上の原稿を読み取り、原稿の外側の領域の信号値が原稿白地の部分より低くなることを利用して、原稿の領域と原稿外の領域とを画像処理により識別して求め、原稿外の領域は自動的に消去することで原稿の領域のみ画像形成する機能である。なお、この場合、本スキャンの前にプレスキャンを行い、このプレスキャンで原稿内外の領域識別を行って原稿サイズを求めておく。
【００６８】
この実施の形態例では、調査スキャンによって求めておいた開始アドレス（Ｓｔａｒｔ（ｘ１，ｙ１））と終了アドレス（Ｅｎｄ（ｘ２，ｙ２））とを読み出し、これら開始アドレスと終了アドレスに囲まれる矩形領域をプレスキャン時の「画像処理領域」として用いる。
【００６９】
この画像処理領域は既に説明したようにスケール板の影響を受けないように決定しているため、プレスキャンで得た画像データから原稿サイズを検知する際に、スケール板１３の裏側を原稿と誤って認識することがなくなる。また、スケール板１３に突き当てていた原稿についても最小限の消去量で済むようになる。
【００７０】
すなわち、本実施の形態例の画像形成装置によれば、スケール板の取り付け精度にかかわらず、最小限のマージンで原稿外自動消去の際に原稿領域を正しく認識することが可能になる。
【００７１】
また、片寄り調整、先端タイミング調整を行う場合には、上述した開始アドレス（Ｓｔａｒｔ（ｘ１，ｙ１））と終了アドレス（Ｅｎｄ（ｘ２，ｙ２））とに対してそれぞれ加算することで、所望の調整が行えると共に、原稿外自動消去においても上述した本実施の形態例の効果を得ることができる。
【００７２】
〈その他の実施の形態例〉
プリントエンジン１４０を除いた状態の画像読み取り装置としても、本実施の形態例を適用することが可能である。
【００７３】
【発明の効果】
以上、詳細に説明したように、本発明によれば、スケール板の取り付け精度にかかわらず、最小限のマージンで原稿外自動消去の際に原稿領域を正しく認識することが可能な画像形成装置を実現できる。
【図面の簡単な説明】
【図１】本発明の実施の形態例の画像形成装置の電気的構成を示すブロック図である。
【図２】本発明の実施の形態例の動作状態を示すフローチャートである。
【図３】本実施の形態例におけるページメモリのデータの格納状態を示す説明図である。
【図４】本実施の形態例におけるページメモリのデータの格納状態を示す説明図である。
【図５】画像形成装置の外観構成を示す斜視図である。
【図６】画像形成装置の断面構成を示す斜視図である。
【符号の説明】
１１０　画像読み取り部
１２０　操作表示部
１３０　画像処理部
１４０　プリントエンジン
【図１】
2004088605.tif 000003
【図２】
2004088605.tif 000004
【図３】
2004088605.tif 000005
【図４】
2004088605.tif 000006
【図５】
2004088605.tif 000007
【図６】
2004088605.tif 000008